(57)【要約】  エネルギー蓄積デバイス（１）は、容器（２）と、マンドレル（３）と、少なくとも１つのセパレータ材料シート（４）と、２以上の電極（５）と、を備える。容器（２）は、少なくとも１つの内壁（１０）及びベース（７）によって画成された内部空間（９）を備える。マンドレル（３）は、長手方向軸（Ｌ）を備え、容器（２）内に位置付けられており、それにより、長手方向軸（Ｌ）は、内部空間（９）及びベース（７）を通過する。  セパレータ材料シート（４）は、マンドレル（３）の周囲に配設されており、複数の別個のセパレータ層を形成し、これらセパレータ層は、長手方向軸（Ｌ）に垂直なパッケージ方向（Ｐ）で間隔をあけている。巣君なくとも１つの電極（５）は、別個のセパレータ層それぞれの間に設けられており、マンドレル（３）は、その長手方向軸（Ｌ）の長さに沿って延在する少なくとも１つの中空柱を有し、それにより、ベース（７）の一部は、中空柱を介してアクセス可能である。
2020511751.tif 000002
【特許請求の範囲】
【請求項１】
容器、マンドレル、少なくとも１つのセパレータ材料シート、及び、２以上の別個の電極、を備えるエネルギー蓄積デバイスであって、
前記容器が、少なくも１つの内壁及びベースによって画成された内部空間を備え、
前記マンドレルが、長手方向軸を備え、前記容器内に位置付けられており、それにより、前記長手方向軸が、前記内部空間及び前記ベースを通過し、
前記セパレータ材料シートが、前記マンドレルの周囲に配設されており、複数の別個のセパレータ層を形成し、前記セパレータ層が、前記長手方向軸に垂直なパッケージ方向で間隔をあけており、
少なくとも１つの前記電極が、別個の前記セパレータ層それぞれの間の空間を占めるように設けられており、前記マンドレルが、前記長手方向軸の長さに沿って延在する少なくとも１つの中空柱を有し、それにより、前記ベースの一部が、前記中空柱を介してアクセス可能であることを特徴とするエネルギー蓄積デバイス。
【請求項２】
前記容器が、シリンダ状であり、前記マンドレルが、巻回軸に沿う楕円状の横断面を有することを特徴とする請求項１に記載のエネルギー蓄積デバイス。
【請求項３】
前記セパレータ材料シートが、前記マンドレルの周りに巻回されていることを特徴とする請求項１または２に記載のエネルギー蓄積デバイス。
【請求項４】
前記電極のうちの少なくとも１つが、前記容器の前記ベースに溶接するためのタブを有することを特徴とする請求項１から３のいずれか１項に記載のエネルギー蓄積デバイス。
【請求項５】
前記マンドレルの前記長手方向軸が、前記容器の前記ベースの中心部と位置合わせされていることを特徴とする請求項１から４のいずれか１項に記載のエネルギー蓄積デバイス。
【請求項６】
前記マンドレルが、前記長手方向軸に垂直な前記パッケージ方向に収縮可能であることを特徴とする請求項１から５のいずれか１項に記載のエネルギー蓄積デバイス。
【請求項７】
当該エネルギー蓄積デバイスが、２以上の別個の陽極と、２以上の別個の陰極と、を備えることを特徴とする請求項１から６のいずれか１項に記載のエネルギー蓄積デバイス。
【発明の詳細な説明】
【技術分野】
【０００１】
本発明は、エネルギー蓄積デバイスの容器に関する。より具体的には、本発明は、電気化学セルのための容器に関する。
【背景技術】
【０００２】
エネルギー蓄積デバイス内に収容された電気化学セルは、製品の安全性を保証するために気を付けて設計されたパッケージを必要とする反応性のあるかつ有害な材料を備える。パッケージは、有害な材料を収容し、また、セルが充放電する際に材料の温度及び容積における変化に適応しなければならない。
【発明の概要】
【発明が解決しようとする課題】
【０００３】
所望の堅牢性を有することと同様に、パッケージは、同様に、エネルギー蓄積デバイスの全体エネルギー密度を減少させないように、軽量かつ容積効率の良い必要がある。パッケージの設計は、同様に、いかなる不要な抵抗をエネルギー蓄積デバイスに付与することを回避しなければならない。
【課題を解決するための手段】
【０００４】
本発明の第１態様によれば、エネルギー蓄積デバイスが提供され、このエネルギー蓄積デバイスは、容器と、マンドレルと、少なくとも１つのセパレータ材料シートと、２以上の別個の電極と、を備え、容器が、少なくとも１つの内壁とベースとによって画成された内部空間を備え、マンドレルが、長手方向軸を備え、容器内に位置付けられ、それにより、長手方向軸が、内部空間及びベースを通過し、セパレータ材料シートが、マンドレルの周囲に配設され、複数の別個のセパレータ層を形成し、セパレータ層が、長手方向軸に垂直なパッケージ方向で間隔をあけており、少なくとも１つの電極が、別個のセパレータ層それぞれ間の空間を示すように設けられており、マンドレルが、長手方向軸の長さに沿って延在する少なくとも１つの中空柱を有し、それにより、ベースの一部が、中空柱を介してアクセス可能である。
【０００５】
マンドレルの設計により、容器のベースの内面へのアクセスが可能となる。セルは、複数組の電極を備え得、電極それぞれは、容器のベースまたはキャップに接続するためのタブを有する。製造中において、別個の電極は、マンドレルの周囲にまたはマンドレルの周りにあるセパレータ材料内に設けられている。そして、このセルは、容器内に配置され得、容器のベースへ接続するまたは溶接するためのタブは、マンドレルの中空柱を通してアクセスされ得る。
【０００６】
本発明にかかる別個の電極シート及び収縮可能なマンドレルの組合せにより、セパレータ材料内に巻回された連続的なアノード／カソード電極材料シートに依存する主な巻回型セルとは対照的に、セルが、弾性を有する保護容器内に格納された効率よく接続された高エネルギー密度電極の積層体を備えることが可能となる。このようなデバイスは、２以上の別個の陽極及び２以上の別個の陰極を備え得る。
【０００７】
容器は、シリンダ状であり得、マンドレルは、巻回軸に沿う楕円状の横断面を有し得る。好ましくは、マンドレルは、単一材料で形成されて製造コストを低減し、容器のパッケージ軸方向で弾性付勢されるように形付けられている。マンドレルは、２つの面と接続腕体とを有するほぼ「Ｓ」字状をなし得る。この場合において、中空柱は、面と接続腕体との間のデッドスペース内に形成されている。エネルギー蓄積デバイスの容器内のデッドスペースは、追加のセルを収納し得る容積を生じ、そのため、そのため、従来の柔軟パックのセル設計や角柱状のセル設計よりも容積に関して効率的ではないように見え得る。しかしながら、中空柱により、製造プロセスを改善することが可能となる。
【０００８】
マンドレル面は、湾曲し得る。マンドレルの湾曲面は、パッケージ内で電極面にわたって均一な積重圧力を付与し得る。また、マンドレルの表面は、マンドレルの形状に効率的に反応しかつ適合し得、セルの膨張中における圧力の積み上げを解放する。さらに、マンドレルは、長手方向軸に垂直なパッケージ方向で収縮可能であり得、セルの膨張における更なる増加を吸収する。本発明は、マンドレルの周囲に巻回される電気化学セルの成分に依存せず、マンドレルの主機能は、充放電中の電極容積に従って圧縮または膨張することによって、セパレータ材料を容器の内面に当接させて支持する。
【０００９】
セパレータ材料は、マンドレルの周囲に巻回され得る。これにより、エネルギー蓄積デバイスの簡素化した製造を可能とする。さらに、容器は、マンドレルの形状に基づいて巻回したセパレータ材料及び電極を受けるように形付けられ得る。すなわち、マンドレル及び容器の全体形状は、互いにほぼ同軸状であり、セパレータ及び電極マトリックスは、マンドレルと容器の内壁との間のキャビティを埋める。
【００１０】
マンドレルの長手方向軸は、容器のベースの中心に位置合わせされ得る。マンドレルは、容器のベースの少なくとも一部にアクセスすることを可能とする１を超える中空柱を有し得る。電極それぞれが容器のベースに溶接するためのタブを有しているので、中空柱を有することにより、タブをベースに溶接するための複数のポイントへのアクセスが可能となり、これにより、タブを積み上げること及び材料をベースの一部のみに溶接することを回避する。
【００１１】
本発明をより良好に理解するために、かつ、本発明をどのように実施しうるかをより明確に示すために、以下の図面を参照しながら、例として、本発明を説明する。
【図面の簡単な説明】
【００１２】
【図１】本発明のエネルギー蓄積デバイスを示す概略分解図である。
【図２ａ】エネルギー蓄積デバイス内にあるセパレータ材料及びマンドレルの別のレイアウトを示す概略図である。
【図２ｂ】エネルギー蓄積デバイス内にあるセパレータ材料及びマンドレルの別のレイアウトを示す概略図である。
【図２ｃ】エネルギー蓄積デバイス内にあるセパレータ材料及びマンドレルの別のレイアウトを示す概略図である。
【図２ｄ】エネルギー蓄積デバイス内にあるセパレータ材料及びマンドレルの別のレイアウトを示す概略図である。
【図３ａ】本発明の別の実施形態にかかるエネルギー蓄積デバイスを示す概略図である。
【図３ｂ】本発明の別の実施形態にかかるエネルギー蓄積デバイスを示す概略図である。
【図３ｃ】本発明の別の実施形態にかかるエネルギー蓄積デバイスを示す概略図である。
【図４ａ】別の容器形状のアレイを示す概略図である。
【図４ｂ】別の容器形状のアレイを示す概略図である。
【発明を実施するための形態】
【００１３】
図１は、エネルギー蓄積デバイス１を示しており、このエネルギー蓄積デバイスは、容器２、収縮可能なマンドレル３、セパレータ材料４及び別個の電極５を備える。容器２は、共にエネルギー蓄積デバイス１の材料を形成する筐体６、ベース７及びキャップ８を有する。筐体６は、堅牢な材料で形成されており、外部物質がデバイス１を貫通するまたは破裂させることを回避する。筐体６は、深絞り加工／圧延加工／形状加工されており、それにより、電気化学セルの構成部材、すなわち収縮可能なマンドレル３、セパレータ材料４及び電極５を保持するための内部空間９を形成する。筐体６は、空間９を向く内面１０を有する。ベース７及びキャップ８は、筐体６の開口端部を覆うように設けられており、電気化学セルの構成部材３、４、５を包囲する。ベース７及びキャップ８を筐体６とは別の部品として示しているが、筐体６が事前に形成されたベース７及びキャップ８を有し得るまたはベース及びキャップに取り付けられ得ることを想定可能である。
【００１４】
マンドレル３は、第１マンドレル面１１と、腕体１３によって接続された第２マンドレル面１２と、を有する。マンドレル３は、プラスチックまたは金属のような柔軟な材料からなる単一片から形成されている。マンドレル３の横断面は、概してＳ字形状を有しており、その外郭は、楕円状である。マンドレル３は、Ｓ字形状に垂直な長手方向軸Ｌを有しており、このＳ字形状は、湾曲面１１、１２及び腕体１３によって形成されている。マンドレル３は、その長手方向軸Ｌに沿って延在しており、そのため、マンドレルは、長さについて、容器２と同様である。マンドレル３の全体横断面形状は、マンドレルの長手方向軸Ｌの全長に沿って同じである。
【００１５】
マンドレル３は、マンドレルを容器２の内部空間９内に配置し得るように形成されている。マンドレル３を内部空間９内に位置付けると、キャビティ９ａは、マンドレル面１１、１２と容器２の内面１０との間に残る。マンドレル３の形状に起因して、中空デッドスペースの柱は、マンドレル面１１、１２と腕体１３との間に存在し、長手方向軸Ｌに沿って延在する。中空柱は、マンドレル３のための空間が折り畳むことを可能とし、また、電気化学セルの構成部材３、４、５を容器２内に配置したときにベース７の少なくとも一部への溶接のためのアクセスを提供する。
【００１６】
マンドレル３は、パッケージ軸Ｐの方向で収縮可能であり、このパッケージ軸は、セパレータ材料４に関して後述する。一般に、マンドレル３は、マンドレルの横断面のほぼ楕円状の外郭がサイズにおいて減少するように、収縮し得るかつ／または変形し得る。マンドレル３が占める空間９の容積は、マンドレル３が収縮するにしたがって減少する。さらに、マンドレル面１１、１２は、外部圧力を受けて変形し得、そのため、湾曲部または円弧部は、表面にかかる収縮力に従って変化し得る。
【００１７】
図１に示すようなセパレータ材料４は、電子的に絶縁する多孔性材料の連続シートである。セパレータ材料４は、巻かれて容器２とマンドレル３との間のキャビティ９ａ内に位置付けられている。セパレータ材料４は、巻回軸Ｗ回りでマンドレル３の周囲に巻回されており、この巻回軸は、電気化学セルの容器２が容器の完全な形態にあるときにマンドレル３の長手方向軸と重なる。セパレータ材料シート４を巻回軸Ｗ回りに巻回すると、複数層のセパレータ材料は、セパレータ材料自体に巻き付くにつれて形成される。完全なエネルギー蓄積デバイス１において、セパレータ材料４は、容器２内に配設されており、パッケージ軸Ｐに沿って配置された複数のセパレータ層を形成する。これにより、セパレータ材料の層４間に空間１４を形成し、これら空間には、電極が占める。
【００１８】
電極５は、巻回したセパレータ材料４の空間１４内においてパッケージ軸Ｐに沿って位置付けられている。簡素化のため、２つの電極５のみ（１つのアノード及び１つのカソードがセパレータ材料４と共にセルを形成する）を図１に示す。しかしながら、本発明にかかる電気化学セルの容器２は、多数の電極５を収容し得、複数の電気化学セルを形成する。
【００１９】
電極５それぞれは、タブ１５ａ、１５ｂを備えており、これらタブは、ベース７及びキャップ８の内面に固定され得る。タブ１５ａ、１５ｂを電極５それぞれに設けることによって、電極５それぞれの電流経路長を低減し、セルの内部抵抗を減少させる。
【００２０】
セルが充放電する際、電極５は、膨縮し得る。電極５が膨張して内部空間９内の容積をより多く示すと、マンドレル３は、収縮する。同様に、電極が圧縮すると、マンドレル３は、膨張して容積を再度占めつつ、セパレータ材料４と電極５との間でパッケージ軸Ｐに沿って一定の収縮力をかける。湾曲したマンドレル面１１、１２は、電極５の表面にわたって均一な圧力を維持することを保証する。
【００２１】
本発明の範囲内にある様々な代替の電気化学セルの容器２の配置を概略的に図２ａから図２ｄに示す。電気化学セルの容器２は、マンドレル３の長手方向軸Ｌに沿う断面で示されており、簡素化のために電極５を示していない。電気化学セルの容器２それぞれは、正方形の容器２として過剰に簡素化した態様で示されている。しかしながら、当然ながら、セパレータ材料４は、湾曲して、容器２の内部空間９を占める。
【００２２】
図２ａにおいて、２つのセパレータ材料シート４は、マンドレル３の周囲に巻回されている。マンドレル３は、セパレータ材料４の巻回軸Ｗに沿って位置付けられている。セパレータ材料シート４は、マンドレル３の長手方向軸Ｌ回りで同軸である。複数の層１４は、電極５を収容するために巻回したセパレータ材料４の層４間に設けられている。電極５は、パッケージ軸Ｐに沿って配設されている。
【００２３】
図２ｂにおいて、マンドレル３には、単一の湾曲面１１が設けられている。マンドレル腕体１３は、容器２の内面１０に当接して置かれている。１つのセパレータ材料シート４は、内部空間９内に設けられており、巻回軸Ｗ回りに巻回されている。巻回軸Ｗは、マンドレル３の長手方向軸Ｌと重なっていない。別個の層１４は、電極を収容するためにセパレータ材料４のロール体で設けられている。電極５は、パッケージ軸Ｐに沿って配設されている。
【００２４】
図２ｃ及び図２ｄは、本発明のさらなる代替を示しており、これら図において、セパレータ材料シート４のロール体または折畳体は、マンドレル３の周囲にあるキャビティ９ａに位置付けられており、セパレータ４は、マンドレル３の周囲に巻回されていない。図２ｃにおけるデバイスは、キャビティ９ａそれぞれにおいて２つの巻いたセパレータ材料シート４を備える。図２ｄにおいて、複数のセパレータ材料シート４は、キャビティ９ａ内に折り畳まれている。電極５は、セパレータ材料４の螺旋状層または折畳体内に配置され得る。これら場合において、マンドレル３は、単に、デバイス１内にある電極５の膨張を吸収するように機能しており、材料４、５をその周囲に巻回するためのボビンを形成しない。
【００２５】
図１における容器２は、筒状として示されているが、同様に、任意の多角柱状のセルの形状を形成し得る。本発明のデバイス１における横断面の概略図を図３ａから図３ｃに示す。単に図面を簡素化するために、キャビティ９ａ内にある連続したロール状シートに替えて同心状のリングとしてセパレータ材料４の層を示す。電極５を破線として概略的に示し、巻いたセパレータ材料シート４間にある層１４内のどこかに位置付けられ得る。図３ａは、図１の完全なデバイス１の簡略化した横断面図を示す。内面１０は、１つの連続面であり、マンドレル面１１、１２は、同じ内面１０の異なる領域を向く。
【００２６】
図３ｂは、ほぼ直方体状の容器２を有するデバイス１を示しており、マンドレル面１１、１２を向く内面は、凹面である。セパレータ材料４は、折り畳まれており、または、巻回されており、それにより、マンドレル面１１、１２と容器２の内面１０との間のキャビティ９ｂを充填する。セパレータ材料４は、パッケージ軸Ｐに沿って層１４を設けるように構成されており、これら層には、電極５が詰まっている。凹状内面１０の曲率は、マンドレル面１１、１２の曲率と同様であり、それにより、均一な圧力をセパレータ材料４の層１４内にある電極５の表面にわたってかける。
【００２７】
図３ｃは、ほぼ直平行六面体状の容器２を有するデバイス１を示しており、デバイス１は、電気化学セルが充填された１つのみのキャビティ９ａを有する。マンドレル面１１を向く内面１０は、凹面である。セパレータ材料４は、折り畳まれており、または、巻回されており、それにより、マンドレル面１１、１２と容器２の内面１０との間のキャビティ９ｃを充填する。セパレータ材料４は、パッケージ軸Ｐに沿って層１４を設けるように構成されており、これら層には、電極５が詰まっている。凹状内面１０の曲率は、マンドレル面１１、１２の曲率と同様であり、それにより、均一な圧力をセパレータ材料４の層１４内にある電極５の表面にわたってかける。
【００２８】
図３ａから図３ｃに示す例において、外部筐体の曲率は、内面１０の凹状と一致しており、外部筐体は、外部の直平行六面体状を設けるように扁平にされ得る。しかしながら、筐体６の曲率を維持するのに有益であり得る。
【００２９】
図４ａ及び図４ｂは、図３ｂ及び図３ｃにかかるエネルギー蓄積デバイス１のアレイを各別に示す。筐体６の曲率は、アレイに配設したときに容器２間の間隙１６を可能とする。湾曲した筐体６は、隣接する容器２間の物理的接触を低減することを保証する。空気のような流体は、容器２間の間隙１６内に供給され得る。容器２間の接触を低減することにより、隣接するデバイス１間に発生する熱移送を低くすることを保証する。また、流体は、容器のアレイにわたって自由に流動し、デバイス１内のセルから放出される過剰な熱を除去する冷却剤として機能する。
【符号の説明】
【００３０】
１  エネルギー蓄積デバイス、２  容器、３  マンドレル、４  セパレータ材料シート、５  電極、９  内部空間、９ａ，９ｂ，９ｃ  キャビティ、
１０  凹状内面、１１  第１マンドレル面，湾曲面、１２  第２マンドレル面，湾曲面
【図１】
2020511751.tif 000003
【図２ａ】
2020511751.tif 000004
【図２ｂ】
2020511751.tif 000005
【図２ｃ】
2020511751.tif 000006
【図２ｄ】
2020511751.tif 000007
【図３ａ−３ｃ】
2020511751.tif 000008
【図４ａ】
2020511751.tif 000009
【図４ｂ】
2020511751.tif 000010
【国際調査報告】
2020511751.tif 000011
2020511751.tif 000012